(57)【要約】【課題】浴室内側からの作業を可能として接合作業の作業性を向上させ得る天井パネル用接合部材を提供する。【解決手段】天井パネルの外周縁部を壁パネルの上端部に固定するための天井パネル用接合部材であって、壁パネルの上端部の室内側に鉛直姿勢で取り付けられると共に下端にカバー係合部を有する壁パネル取付壁と、該壁パネル取付壁の上端から水平方向に延設されて天井パネルが取り付けられる天井パネル取付壁と、該天井パネル取付壁の反壁パネル取付壁側に壁パネル取付壁と略同一方向に立設されると共に下端にカバー係合部を有するカバー取付壁と、を備えることを特徴とする。また、壁パネル取付壁と天井パネル取付壁とを連結する屈曲可能な連結部、または天井パネル取付壁とカバー取付壁とを連結する屈曲可能な連結部を備える。【選択図】  図１
2008184757.tif 000002
【特許請求の範囲】
【請求項１】
天井パネルの外周縁部を壁パネルの上端部に固定するための天井パネル用接合部材であって、
前記壁パネルの上端部の室内側に鉛直姿勢で取り付けられると共に下端にカバー係合部を有する壁パネル取付壁と、該壁パネル取付壁の上端から水平方向に延設されて前記天井パネルが取り付けられる天井パネル取付壁と、該天井パネル取付壁の反壁パネル取付壁側に壁パネル取付壁と略同一方向に立設されると共に下端にカバー係合部を有するカバー取付壁と、を備えることを特徴とする天井パネル用接合部材。
【請求項２】
前記壁パネル取付壁と天井パネル取付壁とを連結する屈曲可能な連結部、または前記天井パネル取付壁とカバー取付壁とを連結する屈曲可能な連結部を備えることを特徴とする請求項１に記載の天井パネル用接合部材。
【発明の詳細な説明】
【技術分野】
【０００１】
本発明は、システムバスルーム等の浴室の天井パネルを壁パネルに固定する際に使用される天井パネル用接合部材に関する。
【背景技術】
【０００２】
従来、浴室の天井パネルと壁パネルを固定（接合）する接合部材としては、例えば特許文献１に開示のものが知られている。この接合部材は、図７に示すように、壁パネル１０２の上端面にネジ止めする取付部１００ａと、この取付部１００ａに隣接形成され天井パネル１０１をネジ止めするネジ止め用凹所１００ｂと、このネジ止め用凹所１００ｂの開口両端部に対向配置されカバー１０３の両端部が係着する係合部１００ｃとを備えたレール１００で形成されている。そして、レール１００の取付部１００ａを壁パネル１０２の上端面に固定する際、取付部１００ａ上に天井パネル１０１を設置する前に、レール１００を壁パネル１０２の上端部上に載置してその上方からネジ止めするようにしている。
【特許文献１】特開平１１−３１０９８７号公報
【発明の開示】
【発明が解決しようとする課題】
【０００３】
しかしながら、このような接合部材においては、壁パネル１０２の上端面に取り付けられるレール１００と天井パネル１０１上方の躯体側の天井（図示せず）との間隔が狭いため、壁パネル１０２の上端面にレール１００をネジ止めする際に、レール１００の取付部１００ａ上方に十分な作業空間を確保することが困難でネジ止め作業が面倒になる等、接合の作業性が劣ることになる。
【０００４】
本発明は、このような事情に鑑みてなされたもので、その目的は、浴室内側からの作業を可能として接合作業の作業性を向上させ得る天井パネル用接合部材を提供することにある。
【課題を解決するための手段】
【０００５】
かかる目的を達成すべく、本発明のうち請求項１に記載の発明は、天井パネルの外周縁部を壁パネルの上端部に固定するための天井パネル用接合部材であって、前記壁パネルの上端部の室内側に鉛直姿勢で取り付けられると共に下端にカバー係合部を有する壁パネル取付壁と、該壁パネル取付壁の上端から水平方向に延設されて前記天井パネルが取り付けられる天井パネル取付壁と、該天井パネル取付壁の反壁パネル取付壁側に壁パネル取付壁と略同一方向に立設されると共に下端にカバー係合部を有するカバー取付壁と、を備えることを特徴とする。
【０００６】
また、請求項２に記載の発明は、前記壁パネル取付壁と天井パネル取付壁とを連結する屈曲可能な連結部、または前記天井パネル取付壁とカバー取付壁とを連結する屈曲可能な連結部を備えることを特徴とする。
【発明の効果】
【０００７】
本発明のうち請求項１に記載の発明によれば、接合部材が壁パネル上端部の室内側に鉛直姿勢で取り付けられる壁パネル取付壁と、天井パネルが取り付けられる天井パネル取付壁及びカバー取付壁を備えるため、３つの壁によって浴室内側に開口した凹部を形成でき、この凹部を利用して浴室内側から壁パネル取付壁への壁パネルのネジ止めや天井パネル取付壁への天井パネルのネジ止め作業等を行うことができて、天井パネルの壁パネルへの接合の作業性を向上させることができる。
【０００８】
また、請求項２に記載の発明によれば、請求項１に記載の発明の効果に加え、壁パネル取付壁と天井パネル取付壁とを連結する屈曲可能な連結部、または天井パネル取付壁とカバー取付壁とを連結する屈曲可能な連結部を備えるため、連結部を屈曲させつつ壁パネル取付壁前方の作業空間を拡げた状態で壁パネルに壁パネル取付壁をネジ止めできて、接合の作業性を一層向上させることができる。
【発明を実施するための最良の形態】
【０００９】
以下、本発明の実施の形態を図面に基づいて詳細に説明する。
図１〜図４は、本発明に係わる接合部材を浴室に適用した場合の一実施形態を示し、図１がその縦断面図、図２が接合部材の斜視図、図３がカバーの斜視図、図４が接合作業の説明図である。
【００１０】
図１に示すように、浴室の天井パネル１は、浴室の壁面を形成する壁パネル２の上端部２ａに接合部材３によって取り付けられ、接合部材３にカバー４が取り付けられている。前記接合部材３は、図２に示すように、樹脂成形により長尺状（レール状）に形成されて、鉛直方向に延びた壁パネル取付壁５と、この壁パネル取付壁５の上端に左右方向にそれぞれ水平方向に延設された一対の取付壁６ａ、６ｂからなる天井パネル取付壁６と、この天井パネル取付壁６の一方の取付壁６ａの端部（室内側の端部）に壁パネル取付壁５と同一方向である鉛直方向に立設されたカバー取付壁７等を備えている。そして、この３つの取付壁５〜７によって室内側に開口した凹部８が形成されている。
【００１１】
また、前記天井パネル取付壁６の一対の取付壁６ａ、６ｂのうち、室内側となる取付壁６ａと壁パネル取付壁５の上端部との間には屈曲可能な連結部９が形成され、この連結部９は、軟質樹脂の二色成形により硬質樹脂からなる各取付壁５〜７に一体形成されている。この連結部９の屈曲により、後述するように取付壁６ａとカバー取付壁７が壁パネル取付壁５に対して上方側に変形可能とされている。
【００１２】
さらに、前記壁パネル取付壁５の下端である先端とカバー取付壁７の下端である先端には、それぞれ内側に突出した鉤状のカバー係止部としての係止部５ａ、７ａが一体形成され、この一対の係止部５ａ、７ａに前記カバー４が着脱可能に係止されるようになっている。なお、この接合部材３の壁パネル取付壁７と天井パネル取付壁６の取付壁６ａには、複数の取付孔１０（図２参照）が所定間隔でそれぞれ形成されている。
【００１３】
前記カバー４は、図３に示すように、例えば軟質樹脂の成形により長尺状に形成され、内部に空洞１１を有した断面形状が略楔形状の本体部４ａと、この本体部４ａの一端部に一体形成され本体部４ａの幅より幅広に形成されて本体部４ａの両側面に突出した一対のヒレ部４ｂ、４ｃ等を備えている。また、本体部４ａの高さ寸法が異なる両側面先端部には、外側に鉤状に突出した係止部１２ａ、１２ｂがそれぞれ一体形成されている。なお、カバー４のヒレ部４ｂ、４ｃのうち一方のヒレ４ｂは、突出寸法が長くその先端が内側（本体部４ａ側）に屈曲されると共に、他方のヒレ４ｃは、突出寸法が短く水平方向に突出するように形成されている。
【００１４】
そして、図１に示すように、接合部材３の壁パネル取付壁５が壁パネル２の上端部２ａに固定ネジ１３により固定されると共に、接合部材３の天井パネル取付壁６が天井パネル１の外周縁部１ａに固定ネジ１４により固定され、この接合部材３による天井パネル１と壁パネル２の固定状態において、接合部材３の凹部８の開口にカバー４が装着されている。
【００１５】
次に、この接合部材３とカバー４を使用した天井パネル１と壁パネル２の具体的な接合方法の一例を図４に基づいて説明する。先ず、図４（ａ）に示すように、接合部材３を浴室の防水パン（図示せず）の外周縁部上に立設した壁パネル２の上端部２ａの表面２ｃに接合部材３の壁パネル取付壁５を当接させると共に、接合部材３の天井パネル取付壁６の取付壁６ｂを壁パネル２の上端面２ｂ上に載置する。
【００１６】
そして、この状態で、図４（ａ）の矢印イの如く、接合部材３の取付壁６ａとカバー取付壁７を連結部９を中心に上方側に屈曲（傾動）させ、壁パネル取付壁５の前方を開放させる。この状態で（ｂ）の矢印ロの如く固定ネジ１３を壁パネル取付壁５の取付孔１０から壁パネル２の上端部２ａにねじ込み、全ての固定ネジ１３の壁パネル２へのねじ込みが完了したら、接合部材３の取付壁６ａやカバー取付壁７の屈曲状態を解除して元の状態に戻す。これにより、接合部材３の壁パネル取付壁５に壁パネル２が固定される。
【００１７】
接合部材３の壁パネル取付壁５に壁パネル２を固定したら、次に、図４（ｃ）に示すように、壁パネル２（接合部材３）上に天井パネル１を載置する。この時、天井パネル１の外周縁部１ａには第１平坦部１ａ１と該平坦部１ａ１より一段高い第２平坦部１ａ２が形成され、第２平坦部１ａ２が接合部材３の天井パネル取付壁６上に載置され、この状態で接合部材３の取付壁６ａの取付孔１０から固定ネジ１４を矢印ハの如く天井パネル１にねじ込む。これにより、接合部材３の天井パネル取付壁６に天井パネル１が固定され、接合部材３を介して壁パネル２と天井パネル１が連結固定される。
【００１８】
そして、接合部材３により天井パネル１と壁パネル２を連結固定したら、室内側に開口している接合部材３の凹部８内に、図４（ｃ）の二点鎖線で示すようにカバー４を装着する。このカバー４の装着は、カバー本体４ａをその断面楔形状を利用して凹部８内に矢印ニの如く押し込むことにより行われ、カバー本体４ａの一対の係止部１２ａ、１２ｂが接合部材３の壁パネル取付壁５やカバー取付壁７の先端に設けた係止部５ａ、７ａに係止されることにより装着される。
【００１９】
この装着状態（係止部の係止状態）において、カバー４のヒレ部４ｃが変形しつつ壁パネル２の表面２ｃに密着すると共に、ヒレ部４ｂも変形しつつ天井パネル１の第１平坦部１ａ１の端部表面に密着して、天井パネル１と壁パネル２の上端部間に形成されている凹部が隠蔽される。この時、カバー４のヒレ部４ｂの突出寸法が長く形成されると共に先端が内側に屈曲されていることから、先端部がその弾性力に抗して変形しながら天井パネル１の表面に良好に密着することになる。
【００２０】
つまり、この接合方法によれば、壁パネル取付壁５から壁パネル２への固定ネジ１３のねじ込みと、天井パネル取付壁６から天井パネル１への固定ネジ１４のねじ込みを、室内側から凹部８を利用してドライバーを所定方向に向けて行うことができると共に、カバー４の装着も室内側から行えることになる。なお、図１おいては、接合部材３のカバー取付壁７と天井パネル１の外周縁部１ａ間に隙間が形成されているが、例えば二点鎖線ａで示すように、天井パネル１の外周縁部１ａをカバー取付壁５に当接した構造とすることも可能である。
【００２１】
このように、上記実施形態の天井パネル１と壁パネル２の接合にあっては、接合部材３が壁パネル取付壁５と天井パネル取付壁６及びカバー取付壁７を備えるため、３つの取付壁５〜７によって室内側に開口した凹部８を形成でき、この凹部８を利用して室内側から、壁パネル取付壁５への壁パネル２の固定ネジ１３によるネジ止めと、天井パネル取付壁６への天井パネル１の固定ネジ１４によるネジ止め作業及びカバー４の装着作業等を行うことができる。
【００２２】
特に、壁パネル取付壁５と天井パネル取付壁６との間に屈曲可能な連結部９が設けられているため、この連結部９を屈曲させることで、カバー取付壁７と天井パネル取付壁６の取付壁６ａを上方に屈曲させて壁パネル取付壁５前方の作業空間を大きくすることができて、壁パネル取付壁５への壁パネル２のネジ止め作業を容易に行うことができ、従来の接合作業に比較してその作業の効率向上を図ることができる。
【００２３】
また、天井パネル取付壁６の一方の取付壁６ｂが壁パネル２の上端面２ｂに載置され壁パネル取付壁５が壁パネル２の表面２ｃに当接するため、接合部材３を壁パネル２の上端部２ａに強固に固定できて、壁パネル２と天井パネル１の接合状態を安定させることができる。さらに、カバー４の凹部８への装着が一対の係止部の係止によって行われるため、カバー４を接合部材３にワンタッチで容易に装着することができると共に、天井パネル１と壁パネル２の接合部分がカバーによって隠蔽されるため、設置された天井パネル１の外周縁部１ａに凹部等が形成されることがなくなり、該部分の清掃性を向上させたり意匠的に優れた接合構造を得ることができる。
【００２４】
図５及び図６は、上記実施形態における接合部材３の変形例を示している。以下、上記実施形態と同一部位には同一符号を付して説明する。先ず、図５に示す接合部材３は、前記連結部９を軟質樹脂の二色成形で形成するのではなく、（ａ）に示すように、連結部９を屈曲側に円弧状（もしくはＶ字状）に凹んだ凹部１５で形成し、この凹部１５部分で矢印イの如く屈曲させたり、あるいは（ｂ）に示すように、反屈曲側（もしくは屈曲側）に台形状（もしくは適宜形状）の切り込み１６を設けて薄肉状の連結部９として矢印イの如く屈曲させても良い。また、（ｂ）の二点鎖線で示すように、連結部９に所定間隔で孔１７を設けて連結部を屈曲し易くする等、連結部９として他の適宜の構造を採用することができる。
【００２５】
また、図６に示すように、連結部９を壁パネル取付壁５の上端部と取付壁６ａとの間ではなく、例えば取付壁６ａとカバー取付壁７との間に設けて、カバー取付壁７のみを矢印イの如く屈曲可能に構成することもできる。このように、屈曲可能な連結部９の形状やその配置位置は、接合部材３の形状等に応じて適宜に変更することができる。
【００２６】
なお、上記実施形態においては、接合部材３の壁パネル取付壁５の上端部に左右両方向に延びるように一対の取付壁６ａ、６ｂからなる天井パネル取付壁６を形成したが、本発明はこの構成に限定されず、例えば壁パネル取付壁５の上端部に一方に取付壁６ａのみを形成した構成としても良い。また、上記実施形態における、接合部材３自体の形状や天井パネル１の外周縁部１ａの形状等も一例であって、例えばカバー取付壁７の長さを長くして壁パネル取付壁５と略同一長さに設定する等、本発明に係わる各発明の要旨を逸脱しない範囲において適宜に変更することができる。
【産業上の利用可能性】
【００２７】
本発明は、システムバスルーム等の浴室の天井パネル用接合部材に限らず、例えばサウナルームや洗面室等の水廻り空間の天井パネル用接合部材にも利用できる。
【図面の簡単な説明】
【００２８】
【図１】本発明に係わる天井パネル用接合部材を浴室に適用した場合の一実施形態を示す縦断面図
【図２】同その接合部材の斜視図
【図３】同カバーの斜視図
【図４】同接合作業の説明図
【図５】同接合部材の変形例を示す断面図
【図６】同接合部材の他の変形例を示す側面図
【図７】従来の接合部材を示す断面図
【符号の説明】
【００２９】
１・・・天井パネル、１ａ・・・外周縁部、２・・・壁パネル、２ａ・・・上端部、２ｂ・・・上端面、２ｃ・・・表面、３・・・接合部材、４・・・カバー、４ａ・・・本体部、４ｂ、４ｃ・・・ヒレ部、５・・・壁パネル取付壁、５ａ・・・係止部、６・・・天井パネル取付壁、６ａ、６ｂ・・・取付壁、７・・・カバー取付壁、７ａ・・・係止部、８・・・凹部、９・・・連結部、１０・・・取付孔、１１・・・空洞、１２ａ、１２ｂ・・・係止部、１３、１４・・・固定ネジ。
【図１】
2008184757.tif 000003
【図２】
2008184757.tif 000004
【図３】
2008184757.tif 000005
【図４】
2008184757.tif 000006
【図５】
2008184757.tif 000007
【図６】
2008184757.tif 000008
【図７】
2008184757.tif 000009